(57)【要約】【課題】二種類の機能の操作を単一の操作摘みに共通化させて、操作摘みの数を削減して全体として小型化を図る。【解決手段】操作装置１は、軸部材５の軸方向の移動により、第一位置で伝達部材７と第一被伝達部材１４とが噛み合い、第二位置で伝達部材７と第二被伝達部材１９とが噛み合い、それぞれ一体に回転する。表示部材２５は、軸部材５の軸方向の移動にともなって表示板３の裏面に沿って移動する。表示板３の表示窓６および表示部材２５の第一印は、軸部材５が第一位置にある場合に重なる。表示板３の表示窓６および表示部材２５の第二印は、軸部材５が第二位置にある場合に重なる。光源切替手段は、第一被伝達部材１４および第二被伝達部材１９の回転位置、ならびに軸部材５が第一位置または第二位置のいずれにあるか検出し、この検出に基づいて特定の発光ダイオード３０を点灯して、表示窓６に第一印または第二印を表示する。【選択図】図１
2012109144.tif 000002
【特許請求の範囲】
【請求項１】
回転力および軸方向への駆動力が入力される操作摘みと、
前記操作摘みと一体に回転および軸方向へ往復移動する軸部材と、
前記軸部材の前記操作摘みと反対側の端部に設けられ、前記軸部材とともに回転および軸方向へ移動する伝達部材と、
前記軸部材の軸方向において前記操作摘みと前記伝達部材との間に設けられ、前記軸部材が前記操作摘み側に移動した第一位置で前記伝達部材と噛み合い、前記伝達部材とともに回転する第一被伝達部材と、
前記軸部材の軸方向において前記操作摘みと反対側に設けられ、前記軸部材が前記操作摘みと反対側に移動した第二位置で前記伝達部材と噛み合い、前記伝達部材とともに回転する第二被伝達部材と、
前記操作摘みと前記第一被伝達部材との間に設けられ、前記軸部材の周方向に複数の表示窓を有する表示板と、
前記軸部材に設けられ、前記軸部材とともに軸方向へ往復移動可能、かつ前記軸部材と相対回転可能な駆動部材と、
可撓性を有する材料で帯状に形成され、前記表示窓に対応して前記軸部材の周方向に複数設けられ、一方の端部が前記駆動部材に固定され、前記軸部材の軸方向への移動にともなって他端が前記表示板の前記操作摘みと反対側の面に沿って前記軸部材の径方向に移動し、前記第一位置で前記表示窓と重なる第一印、および前記第二位置で前記表示窓と重なる第二印が長手方向へ隣り合って付されている表示部材と、
前記表示窓に対応して複数設けられ、前記表示窓に重なる前記第一印または前記第二印を、前記表示部材の前記操作摘みと反対側から照射する光源と、
前記第一被伝達部材および前記第二被伝達部材の回転位置、ならびに前記軸部材が前記第一位置または前記第二位置のいずれにあるかを検出し、検出した前記第一被伝達部材および前記第二被伝達部材の回転位置、ならびに前記軸部材が前記第一位置または前記第二位置のいずれにあるかに基づいて、複数の前記光源のうち特定の光源を点灯する光源切替手段と、
を備える操作装置。
【発明の詳細な説明】
【技術分野】
【０００１】
本発明は、二種類の機能の操作に対応する回転式の操作装置に関する。
【背景技術】
【０００２】
近年、省エネなどの観点から車両の小型化が進んでおり、車室内の空間を少しでも広く確保する必要が生じている。特に、車両のインストルメントパネルの構成は、前列に座る使用者にとって座り心地に直接影響を及ぼすことになる。このため、インストルメントパネルは、その主要部分を構成する空調装置などの操作装置を小型化するなどして、省スペース化することが望まれている。
【０００３】
ここで、例えば車両の空調装置の操作装置として、操作摘みの回転操作によりその操作を行うようにしたものがある。このものにおいては、操作部材として回転操作される操作摘みが備えられ、この操作摘みの回転がワイヤに伝達される。これによりワイヤに接続された空調装置を機械的に操作するようになっている（例えば、特許文献１参照）。
【先行技術文献】
【特許文献】
【０００４】
【特許文献１】特開２００５−９６５７９号公報
【発明の概要】
【発明が解決しようとする課題】
【０００５】
上記構成の操作装置の場合、一つの操作摘みは一種類の機能に対応している。例えば、風量切替えや風向切替えなどの異なる機能の操作には、それぞれの機能に対応した操作摘みが必要となっている。このため、操作する機能の数だけ操作摘みが必要となり、全体として小型化を図ることは難しかった。
【０００６】
本発明は上記した事情に鑑みてなされたものであり、その目的は、二種類の機能の操作を単一の操作摘みに共通化することにより、操作摘みの数を削減して全体として小型化を図った操作装置を提供することにある。
【課題を解決するための手段】
【０００７】
上記目的を達成するために、本発明の操作装置は、回転力および軸方向への駆動力が入力される操作摘みと、前記操作摘みと一体に回転および軸方向へ往復移動する軸部材と、前記軸部材の前記操作摘みと反対側の端部に設けられ、前記軸部材とともに回転および軸方向へ移動する伝達部材と、前記軸部材の軸方向において前記操作摘みと前記伝達部材との間に設けられ、前記軸部材が前記操作摘み側に移動した第一位置で前記伝達部材と噛み合い、前記伝達部材とともに回転する第一被伝達部材と、前記軸部材の軸方向において前記操作摘みと反対側に設けられ、前記軸部材が前記操作摘みと反対側に移動した第二位置で前記伝達部材と噛み合い、前記伝達部材とともに回転する第二被伝達部材と、前記操作摘みと前記第一被伝達部材との間に設けられ、前記軸部材の周方向に複数の表示窓を有する表示板と、前記軸部材に設けられ、前記軸部材とともに軸方向へ往復移動可能、かつ前記軸部材と相対回転可能な駆動部材と、可撓性を有する材料で帯状に形成され、前記表示窓に対応して前記軸部材の周方向に複数設けられ、一方の端部が前記駆動部材に固定され、前記軸部材の軸方向への移動にともなって他端が前記表示板の前記操作摘みと反対側の面に沿って前記軸部材の径方向に移動し、前記第一位置で前記表示窓と重なる第一印、および前記第二位置で前記表示窓と重なる第二印が長手方向へ隣り合って付されている表示部材と、前記表示窓に対応して複数設けられ、前記表示窓に重なる前記第一印または前記第二印を、前記表示部材の前記操作摘みと反対側から照射する光源と、前記第一被伝達部材および前記第二被伝達部材の回転位置、ならびに前記軸部材が前記第一位置または前記第二位置のいずれにあるかを検出し、検出した前記第一被伝達部材および前記第二被伝達部材の回転位置、ならびに前記軸部材が前記第一位置または前記第二位置のいずれにあるかに基づいて、複数の前記光源のうち特定の光源を点灯する光源切替手段と、を備える。
【発明の効果】
【０００８】
上記構成によれば、軸部材が操作摘み側にある第一位置で操作摘みに回転力が入力されると、伝達部材および第一被伝達部材は噛み合ってともに回転する。この第一位置では、表示板の表示窓および表示部材の第一印は重なっている。光源切替手段は、第一被伝達部材の回転位置に基づいて複数の光源のうち特定の光源を点灯する。そして、点灯された光源は、表示板の操作摘みと反対側から表示部材に付された第一印を照射する。これにより、第一被伝達部材の回転に対応する第一印は、表示窓に表示される。
【０００９】
これに対して、操作摘みに対して軸方向に押し込む駆動力が入力されると、軸部材は操作摘みと反対側の第二位置に移動する。このとき、表示部材は表示板の操作摘みと反対側の面に沿って軸部材の径方向に移動する。この第二位置では、表示板の表示窓および表示部材の第二印は重なっている。この第二位置で操作摘みに回転力が入力されると、伝達部材および第二被伝達部材は噛み合ってともに回転する。光源切替手段は、第二被伝達部材の回転位置に基づいて複数の光源のうち特定の光源を点灯する。そして、点灯された光源は、表示板の操作摘みと反対側から、表示部材に付された第二印を照射する。これにより、第二被伝達部材の回転に対応する第二印は、表示窓に表示される。
【００１０】
このように、操作装置は、操作摘みを軸方向に操作して、第一位置と第二位置とに切替えることにより、第一被伝達部材と第二被伝達部材とを切替えて操作することができる。さらに、表示板の表示窓には、操作摘みの操作に対応させて、第一印と第二印とを切替えて表示させることができる。これにより、二種類の機能の操作を単一の操作摘みに共通化させることができる。さらに、第一印および第二印を表示する表示窓も共通化することができる。これにより、操作摘みおよび表示窓の数を削減して全体として小型化を図ることができる。
【図面の簡単な説明】
【００１１】
【図１】一実施形態による操作装置において軸部材が第一位置にある場合を示す縦断面図
【図２】一実施形態による操作装置において軸部材が第二位置にある場合を示す縦断面図
【図３】一実施形態による操作装置の光源回路を示す概略図
【図４】一実施形態による操作装置において軸部材が第一位置にあって表示板に第一印を表示する場合を示す平面図
【図５】一実施形態による操作装置において軸部材が第二位置にあって表示板に第二印を表示する場合を示す平面図
【発明を実施するための形態】
【００１２】
以下、一実施形態について、図面を参照しながら説明する。
図１は、車両、特には自動車の空調装置において、風量切替えおよび風向切替えを行う回転式の操作装置１を示している。操作装置１は、外殻を形成する本体２を備えている。本体２は、円筒形の一端面、すなわち図１において上側に開口を形成している。操作装置１は、この本体２の開口を覆うカバー部材となる円板形状の表示板３を備えている。この本体２には、一端部に操作摘み４を有する軸部材５が回転可能に設けられている。軸部材５は、表示板３に設けられた軸受部３ａにより、回転および軸方向へ往復移動可能に支持されている。この場合、軸部材５は、軸受部３ａと相対的に回転するとともに、軸受部３ａに対して軸方向に摺動する。表示板３は、軸部材５の周方向に等間隔に配置された複数の表示窓６を有している。具体的には、表示板３は、図４および図５に示すように、板厚方向に貫く５個の表示窓６ａ〜６ｅを有している。
【００１３】
操作摘み４は、使用者から回転力および軸方向への駆動力が入力される。この操作摘み４は、表示板３の軸受部３ａから本体２の外部に突出した軸部材５の端部に設けられている。操作摘み４および軸部材５は、一体に形成され、相対的な回転が制限されている。これにより、軸部材５は、操作摘み４と一体に軸を中心に回転するとともに、軸方向へ往復移動する。操作摘み４は、例えば外周面に滑り止めとして綾目加工などを施してもよい。
【００１４】
軸部材５は、操作摘み４とは反対側の端部に伝達部材７を有している。伝達部材７は、例えば円板形状や多角形板形状などに形成されているが、本実施形態では円板形状とする。軸部材５は、先端に外径が小さな取付部５ａを有している。この取付部５ａを伝達部材７の取付穴７ａに差し込むことにより、軸部材５および伝達部材７は一体に構成されている。これにより、伝達部材７は、操作摘み４および軸部材５と一体に軸を中心に回転するとともに、軸方向へ往復移動する。
【００１５】
伝達部材７は、第一突部８を有している。本実施形態の場合、第一突部８は、伝達部材７の操作摘み４側の面に、周方向へ５個設けられている。５個の第一突部８は、周方向へ等間隔に設けられている。第一突部８は、軸部材５よりも小径の円柱状に形成されている。第一突部８は、伝達部材７の操作摘み４側の面から軸部材５とほぼ平行に操作摘み４側へ突出している。また、伝達部材７は、操作摘み４側とは反対側の面、すなわち第一突部８とは反対側の面に、第二突部９を有している。本実施形態の場合、第二突部９は、伝達部材７の第一突部８と反対側の面に、周方向へ５個設けられている。５個の第二突部９は、周方向へ等間隔に設けられている。第二突部９は、第一突部８と同様に、軸部材５よりも小径の円柱状に形成されている。第二突部９は、伝達部材７の操作摘み４と反対側の面から軸部材５とほぼ平行に操作摘み４とは反対側へ突出している。本実施形態の場合、伝達部材７において第二突部９が配置される円周の径は、第一突部８が配置される円周の径よりも小さい。
【００１６】
伝達部材７は、外周壁に凹溝７ｂを有している。凹溝７ｂは、伝達部材７の外縁から径方向内側へ窪んでおり、伝達部材７の周方向へ連続している。伝達部材７は、この凹溝７ｂの内側に可動接片１０を収容している。すなわち、凹溝７ｂを形成する伝達部材７は、軸方向において両側から凹溝７ｂに挿入された可動接片１０を挟み込んでいる。可動接片１０は、弾性を有する金属片で形成されている。このため、伝達部材７が軸部材５の軸方向に移動すると、可動接片１０は、本体２外周側の基端部を中心にして先端部が凹溝７ｂを形成する伝達部材７の内壁面に押されて軸部材５の軸方向へ揺動する。操作装置１は、本体２の内壁から径方向内側へ突出する第一固定接片１１および第二固定接片１２を備えている。第一固定接片１１および第二固定接片１２は、可動接片１０の揺動方向において両側に設けられ、この可動接片１０の先端側を挟み込んでいる。
【００１７】
第一固定接片１１および第二固定接片１２は、剛性を有する金属片で形成されている。このため、軸部材５の軸方向の移動にともなって可動接片１０が揺動すると、可動接片１０は、第一固定接片１１または第二固定接片１２のいずれか一方と接触する。このように、可動接片１０、第一固定接片１１および第二固定接片１２は、切替えスイッチ１３を構成している。また、伝達部材７の凹溝７ｂは、伝達部材７の外縁に沿って設けている。そのため、可動接片１０は、伝達部材７の回転位置に係わらず、凹溝７ｂから外れることがない。
【００１８】
操作装置１は、第一被伝達部材１４を備えている。図１に示すように、第一被伝達部材１４は、軸部材５の軸方向において操作摘み４と伝達部材７との間に設けられている。第一被伝達部材１４は、第一ワイヤ駆動部１５および軸部１６を有している。これら第一ワイヤ駆動部１５および軸部１６は一体に形成されている。第一ワイヤ駆動部１５は、例えば円板形状や多角形板形状などに形成されているが、本実施形態では円板形状とする。第一ワイヤ駆動部１５は、中心に内径が軸部材５の外径よりも大きな穴１５ａを有している。そして、第一ワイヤ駆動部１５は、伝達部材７の操作摘み4側の面に対向している。
【００１９】
軸部１６は、第一ワイヤ駆動部１５よりも外径が小さな円筒形状に形成されている。軸部１６は、第一ワイヤ駆動部１５よりも操作摘み４側に設けられている。この軸部１６は、軸受部１７ａにより、回転可能に支持されている。軸受部１７ａは、本体２に固定されている受部材１７に設けられている。円筒形状の軸部１６は、内側に穴１５ａよりも内径の大きな穴１６ａを形成している。このように穴１５ａと穴１６ａとは内径が異なるので、第一被伝達部材１４は、段付き穴を形成している。軸部材５は、自身の外径よりも大きな内径の穴１５ａおよび穴１６ａに通されている。これにより、第一被伝達部材１４は、軸部材５と相対的に回転する。
【００２０】
第一ワイヤ駆動部１５は、第一突部８よりも内径の大きな受穴１５ｂを有している。この受穴１５ｂは、第一ワイヤ駆動部１５を軸方向へ貫いている。本実施形態の場合、受穴１５ｂは、第一ワイヤ駆動部１５において、第一突部８が配置されている円径とほぼ同径で第一突部８に対応して周方向へ５個設けられている。５個の受穴１５ｂは、周方向へ等間隔に設けられている。第一ワイヤ駆動部１５は、外周壁にワイヤ溝１５ｃを有している。また、第一ワイヤ駆動部１５は、第一ワイヤ１８が取り付けられている。第一ワイヤ１８は、第一ワイヤ駆動部１５のワイヤ溝１５ｃに沿って巻かれている。この第一ワイヤ１８は、一方の端部が第一ワイヤ駆動部１５に固定され、他方の端部が本体２の開口部２ｃから外部へ引き出されている。そして、この第一ワイヤ１８の他方の端部は、図示しない操作対象となる空調装置の風量を調節する風量調節部に接続している。風量調節部は、この第一ワイヤ１８を移動、つまり押し引きすることによって操作される。
【００２１】
操作装置１は、第二被伝達部材１９を備えている。この第二被伝達部材１９は、軸部材５の軸方向において操作摘み４と反対側に設けられている。本実施形態の場合、第一被伝達部材１４および第二被伝達部材１９により、軸部材５の軸方向において伝達部材７を挟み込んでいる。第二被伝達部材１９は、第二ワイヤ駆動部２０および軸部２１を有している。これら第二ワイヤ駆動部２０および軸部２１は一体に形成されている。第二ワイヤ駆動部２０は、例えば円板形状や多角形板状などに形成されているが、本実施形態では円板形状とする。また、軸部２１は、第二ワイヤ駆動部２０よりも外径が小さな円柱形状に形成されている。この軸部２１は、本体２に設けられた軸受部２ａにより、回転可能に支持されている。
【００２２】
第二ワイヤ駆動部２０は、第二突部９よりも内径の大きな受穴２０ａを有している。受穴２０ａは、第二ワイヤ駆動部２０を軸方向へ貫いている。本実施形態の場合、受穴２０ａは、第二ワイヤ駆動部２０において、第二突部９が配置されている円径とほぼ同径で第二突部９に対応して周方向へ５個設けられている。５個の受穴２０ａは、周方向へ等間隔に設けられている。第二ワイヤ駆動部２０は、外周壁にワイヤ溝２０ｂを有している。また、第二ワイヤ駆動部２０は、第二ワイヤ２２が取り付けられている。第二ワイヤ２２は、一方の端部が第二ワイヤ駆動部２０に固定され、他方の端部が本体２の開口部２ｃから外部へ引き出されている。そして、この第二ワイヤ２２の他方の端部は、図示しない操作対象となる空調装置の吹出口の切替ダンパに接続している。吹出口の切替ダンパは、この第二ワイヤ２２を移動、つまり押し引きすることによって操作される。
【００２３】
ここで、図１に示すように、軸部材５が操作摘み４側にある位置は第一位置と定義する。一方、図２に示すように、軸部材５が操作摘み４と反対側にある位置は第二位置と定義する。第一位置では、第一ワイヤ駆動部１５は、受穴１５ｂに伝達部材７の第一突部８が挿入されている。これにより、第一被伝達部材１４は、第一位置で伝達部材７と噛み合って伝達部材７と一体に回転する。第二位置では、第二ワイヤ駆動部２０は、受穴２０ａに伝達部材７の第二突部９が挿入されている。これにより、第二被伝達部材１９は、第二位置で伝達部材７と噛み合って伝達部材７と一体に回転する。
【００２４】
また、本実施形態の場合、第一被伝達部材１４は、図示しない節度機構を備えている。この節度機構は、例えば第一被伝達部材１４が隣り合う第一突部８の間隔に相当する７２°回転する毎に節度感を生じさせる。同様に第二被伝達部材１９も、図示しない節度機構を備えている。この節度機構も、例えば第二被伝達部材１９が隣り合う第二突部９の間隔に相当する７２°回転する毎に節度感を生じさせる。この場合、第一被伝達部材１４および第二被伝達部材１９で節度感を生じる回転角度は、同一である。伝達部材７は、第一突部８および第二突部９を対象に有している。そして、第一被伝達部材１４および第二被伝達部材１９は、いずれも第一突部８および第二突部９の配置に対応する７２°回転するごとに節度感を生じる。そのため、軸部材５とともに回転する伝達部材７の第一突部８は常に第一被伝達部材１４の受穴１５ｂと正対し、第二突部９は常に第二被伝達部材１９の受穴２０ａに正対する。さらに、軸部材５が軸方向の第一位置または第二位置へ移動するとき、第一突部８または第二突部９は受穴１５ｂまたは受穴２０ａの少なくともいずれか一方に進入している。その結果、伝達部材７は、第一被伝達部材１４または第二被伝達部材１９の一方と一体に回転し、他方と７２°間隔で相対的に回転する。なお、第一被伝達部材１４および第二被伝達部材１９は、必ずしも節度間の回転角度を同じにする必要はない。つまり、第一被伝達部材１４と第二被伝達部材１９とのいずれかが伝達部材７と噛み合って回転した場合に、伝達部材７の噛み合っていない側の突部が、回転しなかった方の被伝達部材の受穴に挿入できる位置にあればよい。例えば、第一突部８または第二突部９のいずれかは、受穴１５ｂまたは受穴２０ａのいずれかに挿入できる位置にあればよい。
【００２５】
操作装置１は、駆動部材２３を備えている。駆動部材２３は、第一被伝達部材１４よりも操作摘み４側に設けられている。つまり、駆動部材２３は、第一被伝達部材１４と表示板３との間に設けられている。この駆動部材２３は、例えば円板形状や多角形板形状に形成されているが、本実施形態では円板形状とする。駆動部材２３は、軸部材５の外径よりも内径がやや大きな穴２３ａを有している。軸部材５は、この穴２３ａに通されている。このため、軸部材５は、駆動部材２３と自由に相対的な回転が許容される。また、軸部材５は、駆動部材２３の軸方向において駆動部材２３を挟む両側に止め部２４を有している。この止め部２４は、駆動部材２３を挟んで軸部材５に固定された一対の円板で構成されている。止め部２４は、軸部材５に固定されているため、軸部材５と一体に回転および軸方向へ移動する。駆動部材２３は、軸方向の両側が止め部２４に接しているので、軸部材５の軸方向への移動が規制される。そのため、駆動部材２３は、軸部材５とともに軸方向へ移動する。
【００２６】
操作装置１は、駆動部材２３に固定された表示部材２５を備えている。本実施形態の場合、表示部材２５は、表示板３の表示窓６に対応して周方向へ５個設けられている。５個の表示部材２５は、表示窓６と同様に周方向へ等間隔に配置されている。具体的には、図４および図５に示すように５個の表示部材２５ａ〜２５ｅは、その一方の端部が駆動部材２３に固定されている。表示部材２５は、可撓性を有する材料、例えば樹脂などにより帯状に形成したものである。この表示部材２５は、その長手方向の一方の端部、すなわち基端部が駆動部材２３に固定されている。また、表示部材２５は、長手方向において基端部と反対側が表示板３の裏面側すなわち駆動部材２３側に沿って設けられている。具体的には、表示部材２５は、駆動部材２３に固定されている基端部側が軸部材５に沿って表示板３に向かって伸びている。そして、表示部材２５は、表示板３の操作摘み４と反対側の面、すなわち表示板３の裏面付近で曲げ支持部材２６により、軸部材５の外径方向に曲げられている。この曲げ支持部材２６は、表示板の裏面に設けられている。曲げられた表示部材２５は、表示板３の裏面に沿って径方向外側へ伸びている。表示部材２５の先端側は、支持部材２７に支持されている。この支持部材２７は、表示板３の裏面において表示窓６と重ならない位置に設けられている。表示部材２５は、軸部材５が軸方向に移動すると、基端側が駆動部材２３とともに軸部材５に沿って軸方向に移動する。この基端側の軸方向の移動にともなって、基端部と一体の表示部材２５の先端側は、表示板３の裏面に沿って軸部材５の径方向に移動する。
【００２７】
表示部材２５は、図４に示すような第一印２８、および図５に示すような第二印２９を有している。本実施形態の場合、図４に示す第一印２８は、空調装置において調節する風量を示すものである。また、図５に第二印２９は、空調装置において切り替えられる吹出口を示すものである。これら第一印２８および第二印２９は、表示部材２５の長手方向に隣り合って付されている。第一印２８は、軸部材５が第一位置にあるとき、つまり図１に示す位置にあるとき、図４に示すように表示窓６と重なって操作装置１の外部から視認可能となる。これに対し、第二印２９は、軸部材５が第二位置にあるとき、つまり図２に示す位置にあるとき、図５に示すように表示窓６と重なって操作装置１の外部から視認可能となる。
【００２８】
また、第二印２９は、軸部材５が第一位置にあるとき、表示板３の裏側において表示窓６よりも径方向外側に位置している。そのため、第二印２９は、軸部材５が第一位置にあるとき、操作装置１の外部から視認することができない。同様に、第一印２８は、軸部材５が第二位置にあるとき、表示板３の裏側において表示窓６よりも径方向内側に位置している。そのため、第一印２８は、軸部材５が第二位置にあるとき、操作装置１の外部から視認することができない。本実施形態の場合、第一印２８は、例えば図４に示すようにファンを示すファン形状２８ａと、送風量の大小をファン停止状態も含めた４段階で示す０〜３の数字形状２８ｂ〜２８ｅとから構成されている。また、第二印２９は、例えば、図５に示すように風が吹出される箇所を示す図柄２９ａ〜２９ｅで構成されている。
【００２９】
操作装置１は、図１に示すように、表示板３の裏側において特許請求の範囲における光源としての複数の発光ダイオード３０を備えている。この発光ダイオード３０は、基板３１に設けられている。基板３１は、受部材１７に設けられている。本実施形態の場合、発光ダイオード３０は、各表示窓６に対応して基板３１の周方向へ５つ設けられている。すなわち、本実施形態の場合、５個の発光ダイオード３０ａ〜３０ｅは、表示板３の５個の表示窓６ａ〜６ｅに対応して基板３１の周方向へ設けられている。発光ダイオード３０ａ〜３０ｅは、図３に示す光源回路３２によっていずれか一つが選択的に点灯される。すなわち、表示窓６ａ〜６ｅに重なった第一印２８ａ〜２８ｅまたは第二印２９ａ〜２９ｅのいずれかは、表示板３の操作摘み４とは反対側から照射される。これにより、発光ダイオード３０ａ〜３０ｅで照射されたいずれかの第一印２８ａ〜２８ｅまたは第二印２９ａ〜２９ｅは、表示窓６ａ〜６ｅに浮かび上がる。
【００３０】
光源回路３２は、図３に示すように電源３３、発光ダイオード３０ａ〜３０ｅ、第一回転検出部３４、第二回転検出部３５、および切替えスイッチ１３から構成されている。第一回転検出部３４は、図１および図３に示す切替えスイッチ１３の第一固定接片１１に接続している。第二回転検出部３５は、図１および図３に示す切替えスイッチ１３の第二固定接片１２に接続している。切替えスイッチ１３の可動接片１０は、電源３３に接続している。切替えスイッチ軸部材５が軸方向へ移動すると、切替えスイッチ１３の可動接片１０は、第一固定接片１１または第二固定接片１２のいずれかに接する。これにより、可動接片１０と第一固定接片１１または第二固定接片１２のいずれか一方との間に電気的な導通が形成される。その結果、電源３３と発光ダイオード３０ａ〜３０ｅとは、電気的に接続される。
【００３１】
第一回転検出部３４および第二回転検出部３５は、例えば周知のロータリースイッチなどで構成されている。これにより、第一回転検出部３４は、第一被伝達部材１４の回転位置を検出し、第二回転検出部３５は、第二被伝達部材１９の回転位置を検出する。切替えスイッチ１３、第一回転検出部３４および第二回転検出部３５は、特許請求の範囲における光源切替手段を構成している。この場合、切替えスイッチ１３は、軸部材５が第一位置または第二位置のいずれにあるかを検出する。また、第一回転検出部３４は第一被伝達部材１４の回転位置を検出し、第二回転検出部３５は第二被伝達部材１９の回転位置を検出する。光源回路３２は、これらの検出に基づいて、発光ダイオード３０ａ〜３０ｅのうち特定のいずれか一つを点灯する閉回路を形成する。
【００３２】
次に、上記構成の作用について説明する。
使用者は、操作装置１の操作摘み４を引っ張り、または押し込むとともに、回転させて操作する。ここで、使用者が操作摘み４を引っ張ることにより、軸部材５は図１に示す第一位置側へ移動する。このとき、伝達部材７も、軸部材５と一体に第一位置側へ移動する。これにより、伝達部材７の第一突部８は、第一ワイヤ駆動部１５の受穴１５ｂに挿入される。そのため、第一被伝達部材１４は、伝達部材７と噛み合って一体に回転可能となる。また、軸部材５とともに移動する表示部材２５は、基端部側が駆動部材２３によって表示板３側へ押されるとともに、基端部と反対側が表示板３の裏面に沿って軸部材５の径方向外側へ移動する。このように軸部材５が第一位置に移動したとき、表示部材２５の第一印２８は、図４に示すように表示窓６に重なる。さらに、軸部材５が第一位置にあるとき、切替えスイッチ１３の可動接片１０は第一固定接片１１に接触する。これにより、図３に示すように切替えスイッチ１３は、第一回転検出部３４側に切り替わる。
【００３３】
この状態で操作摘み４を回転操作すると、伝達部材７および第一被伝達部材１４は一体に回転する。すると、第一ワイヤ駆動部１５は、第一ワイヤ１８を駆動する。これにより、第一ワイヤ１８に接続された図示しない空調装置の風量調節部が操作される。ここで、第一被伝達部材１４の回転位置は、第一回転検出部３４により検出される。光源回路３２は、検出された第一被伝達部材１４の回転位置を基に、５個の発光ダイオード３０ａ〜３０ｅのうち特定の一つを点灯する閉回路を形成する。そして、５個の発光ダイオード３０ａ〜３０ｅのうちいずれか一つの特定の発光ダイオードから発せられた光は、表示部材２５ａ〜２５ｅの裏側から第一印２８ａ〜２８ｅのうちいずれか一つを照射する。これにより、第一位置において操作摘み４に入力される回転操作に対応する第一印２８は、表示板３の表示窓６に浮かび上がる。この結果、使用者は、空調装置の風量調節部における現在の作動状態を認知することができる。
【００３４】
これに対し、使用者が操作摘み４を軸方向に押し込むと、図２に示すように、軸部材５は軸方向において第二位置側へ移動する。このとき、伝達部材７も、軸部材５と一体に第二位置側へ移動する。これにより、伝達部材７の第二突部９は、第二ワイヤ駆動部２０の受穴２０ａに挿入される。そのため、第二被伝達部材１９は、伝達部材７と噛み合って一体に回転可能となる。また、軸部材５とともに移動する表示部材２５は、基端部側が駆動部材２３に表示板３とは反対側へ引っ張られるとともに、基端部と反対側が表示板３の裏面に沿って軸部材５の径方向内側へ移動する。このように軸部材５が第二位置に移動したとき、表示部材２５の第二印２９は、図５に示すように表示窓６に重なる。さらに、軸部材５が第一位置にあるとき、切替えスイッチ１３の可動接片１０は、この第二位置で第二固定接片１２に接触する。これにより、切替えスイッチ１３は、第二回転検出部３５側に切替わる。
【００３５】
この状態で操作摘み４を回転操作すると、伝達部材７および第二被伝達部材１９は一体に回転する。すると、第二ワイヤ駆動部２０は、第二ワイヤ２２を駆動する。これにより、第二ワイヤ２２に接続された図示しない空調装置の吹出口の切替ダンパが操作される。ここで、第二被伝達部材１９の回転位置は、第二回転検出部３５により検出される。そして、光源回路３２は、検出された第二被伝達部材１９の回転位置を基に、５個の発光ダイオード３０ａ〜３０ｅのうち特定の一つを点灯する閉回路を形成する。その結果、５個の発光ダイオード３０ａ〜３０ｅのうちいずれか一つの特定の発光ダイオードから発せられた光は、表示部材２５ａ〜２５ｅから第二印２９ａ〜２９ｅのうちいずれか一つを照射する。これにより、第二位置において操作摘み４に入力される回転操作に対応する第二印２９は、表示板３の表示窓６に浮かび上がる。この結果、使用者は、空調装置の吹出口の切替ダンパにおける現在の作動状態を認知することができる。
【００３６】
このように、本実施形態によれば、単一の操作摘み４で風量調節部および吹出口の切替ダンパの二種類の異なる機能の操作をすることができる。さらに、操作装置１は、二種類の異なる機能を示す第一印２８および第二印２９を、表示窓６に切替えて表示することができる。その結果、操作装置１は、二種類の機能の操作を単一の操作摘み４に共通化することにより、操作摘みの数を削減して全体としての小型化を図ることができる。
【００３７】
なお、上記実施形態では、伝達部材７の第一突部８と第一被伝達部材１４の受穴１５ｂ、または伝達部材７の第二突部９と第二被伝達部材１９の受穴２０ａが噛み合って一体回転する構成とした。しかし、これに限らず、第一突部８および受穴１５ｂ、並びに第二突部９および受穴２０ａの位置関係を逆にしてもよい。つまり、第一被伝達部材１４および第二被伝達部材１９に突部を設け、伝達部材７に前記突部に対応する受穴を設け、これらが噛み合って一体回転する構成としてもよい。さらには、例えば伝達部材７の外周面に外歯歯車を形成し、第一被伝達部材１４および第二被伝達部材１９の内周面に内歯歯車を形成して、これらが噛み合って一体回転する構成としてもよい。
また、操作摘み４、軸部材５、伝達部材７、第一被伝達部材１４、第二被伝達部材１９などの回転する部材は、回転力が適切に伝達されればよく、必ずしも同軸上に配置していなくてもよい。
【００３８】
なお、上記実施形態は、車両の空調装置における風量切替えおよび風向切替えに用いられる操作装置を示したが、これに限らず、温度調節温用の操作装置としてもよい。また、車両の空調操作用の操作装置に限らず、他の操作装置としても広く適用して実施することができる。
そのほか、本発明は上記しかつ図面に示した実施例にのみ限定されるものではなく、要旨を逸脱しない範囲内で適宜変更して実施し得る。
【符号の説明】
【００３９】
図面中、１は操作装置、３は表示板、４は操作摘み、５は軸部材、６は表示窓、７は伝達部材、１３は切替えスイッチ（光源切替手段）、１４は第一被伝達部材、１９は第二被伝達部材、２３は駆動部材、２５は表示部材、２８は第一印、２９は第二印、３０は発光ダイオード（光源）、３４は第一回転検出部（光源切替手段）、３５は第二回転検出部（光源切替手段）を示す。
【図１】
2012109144.tif 000003
【図２】
2012109144.tif 000004
【図３】
2012109144.tif 000005
【図４】
2012109144.tif 000006
【図５】
2012109144.tif 000007